(57)【要約】【課題】金属光沢を有する蒸着ラベル等に用いられる金属蒸着薄膜が施されている蒸着紙において、その偽造が困難で、かつ製造コストが嵩まない偽造防止策が施された蒸着紙とその製造方法の提供にある。【解決手段】少なくとも蒸着原紙１０の片面に蒸着目止め層１２を介して金属蒸着薄膜層１４が形成され、この蒸着目止め層１２が偽造防止のためのパターン部１２ａとその背景部１２ｂとで構成されている偽造防止策が施された蒸着紙１であって、この蒸着目止め層１２を構成しているパターン部１２ａの厚みＤ１とその背景部１２ｂの厚みＤ２が異なっている偽造防止策が施された蒸着紙１とその製造方法とするものである。【選択図】図２
2004240007.tif 000002
【特許請求の範囲】
【請求項１】
少なくとも蒸着原紙の片面に蒸着目止め層を介して金属蒸着薄膜層が形成され、該蒸着目止め層が偽造防止のためのパターン部とその背景部とで構成されている偽造防止策が施された蒸着紙であって、前記蒸着目止め層を構成しているパターン部の厚みとその背景部の厚みが異なっていることを特徴とする偽造防止策が施された蒸着紙。
【請求項２】
上記金属蒸着薄膜層は、アルミニウムの蒸着でなることを特徴とする請求項１記載の偽造防止策が施された蒸着紙。
【請求項３】
上記蒸着目止め層は、メラミン樹脂、アルキッド樹脂、ポリフェノール樹脂、アクリル樹脂のいずれか、もしくはこれら樹脂の２種以上の混合でなることを特徴とする請求項１または２記載の偽造防止策が施された蒸着紙。
【請求項４】
上記パターン部は、複雑な地紋や細紋文様もしくはマイクロ文字の集合でなることを特徴とする請求項１、２または３記載の偽造防止策が施された蒸着紙。
【請求項５】
少なくとも蒸着原紙の片面に蒸着目止め層を介して金属蒸着薄膜層が形成され、該蒸着目止め層が偽造防止のためのパターン部とその背景部とで構成されていて、前記パターン部の厚みと背景部の厚みが異なっている偽造防止策が施された蒸着紙の製造方法であって、前記パターン部と背景部とを含む全面を全面ベタの網ポジフィルム原版で製版し、さらにその上から前記パターン部もしくは背景部のいずれかでなるベタの網ポジフィルム原版で製版してパターン部と背景部の深度が異なるダイレクトグラビア版とし、該ダイレクトグラビア版を用いて、前記パターン部の厚みと背景部の厚みが異なる蒸着目止め層を形成せしめることを特徴とする偽造防止策が施された蒸着紙の製造方法。
【請求項６】
上記金属蒸着薄膜層は、アルミニウムの蒸着でなることを特徴とする請求項５記載の偽造防止策が施された蒸着紙の製造方法。
【請求項７】
上記蒸着目止め層は、メラミン樹脂、アルキッド樹脂、ポリフェノール樹脂、アクリル樹脂のいずれか、もしくはこれら樹脂の２種以上の混合でなることを特徴とする請求項５または６記載の偽造防止策が施された蒸着紙の製造方法。
【請求項８】
上記パターン部は、複雑な地紋や細紋文様もしくはマイクロ文字の集合でなることを特徴とする請求項５、６または７記載の偽造防止策が施された蒸着紙の製造方法。
【発明の詳細な説明】
【０００１】
【発明の属する技術分野】
本発明は、蒸着ラベル等に使用される蒸着紙に関するものであり、さらに詳細には、蒸着原紙の片面に蒸着目止め層と金属蒸着薄膜層が形成され、この蒸着目止め層に偽造防止策が施された蒸着紙およびその製造方法に関する。
【０００２】
【従来の技術】
従来、蒸着原紙にアルミニウムが蒸着されているラベルや包装紙が知られ、特に金属光沢を有する高級な蒸着ラベルとして付加価値のあるビールラベル等に多く使用されている。
【０００３】
しかし、近年、製品の偽造が頻発していて、それに貼付されている上記蒸着ラベルにも偽造の発生が問題となっている。
【０００４】
上記蒸着ラベルの偽造防止策として、例えば上記蒸着層上にホログラムをエンボスで形成することも考えられるが、技術的に困難ということに加え製造コストが嵩むという問題があった。
【０００５】
【発明が解決しようとする課題】
本発明は、かかる従来技術の問題点を解決するものであり、その課題とするところは、例えば金属光沢を有する蒸着ラベル等に用いられる、蒸着原紙に蒸着目止め層を介して金属蒸着薄膜が施されている蒸着紙において、その偽造が困難で、かつ製造コストが嵩まない偽造防止策が施された蒸着紙とその製造方法を提供することにある。
【０００６】
【課題を解決するための手段】
本発明に於いて上記課題を達成するために、まず請求項１の発明では、少なくとも蒸着原紙の片面に蒸着目止め層を介して金属蒸着薄膜層が形成され、該蒸着目止め層が偽造防止のためのパターン部とその背景部とで構成されている偽造防止策が施された蒸着紙であって、前記蒸着目止め層を構成しているパターン部の厚みとその背景部の厚みが異なっていることを特徴とする偽造防止策が施された蒸着紙としたものである。
【０００７】
上記請求項１の発明によれば、少なくとも蒸着原紙の片面に蒸着目止め層を介して金属蒸着薄膜層が形成されている蒸着紙において、前記蒸着目止め層は偽造防止のためのパターン部とその背景部とで構成され、このパターン部の厚みと背景部の厚みが異なることによって、表面真上から見てもこのパターン部は視認し難いが、表面斜め上から見ると金属光沢を有する金属蒸着薄膜層に偽造防止のためのパターン部が浮かび上がって見える偽造防止策が施された蒸着紙とすることができ、このパターン部の有無によって真偽判定を可能にする蒸着紙を提供できる。
即ちこの種の蒸着紙を偽造しようとする者が、このパターン部の存在に気付かず偽造してしまうという効果をも有する偽造防止策が施された蒸着紙とするものである。
【０００８】
また、請求項２の発明では、上記金属蒸着薄膜層は、アルミニウムの蒸着でなることを特徴とする請求項１記載の偽造防止策が施された蒸着紙としたものである。
【０００９】
上記請求項２の発明によれば、上記金属蒸着薄膜層は、比較的安価で一般的なアルミニウムの蒸着でなされているので、金属光沢を有し、かつ材料を含め製造コストが嵩まない偽造防止策が施された蒸着紙とすることできる。
【００１０】
また、請求項３の発明では、上記蒸着目止め層は、メラミン樹脂、アルキッド樹脂、ポリフェノール樹脂、アクリル樹脂のいずれか、もしくはこれら樹脂の２種以上の混合でなることを特徴とする請求項１または２記載の偽造防止策が施された蒸着紙としたものである。
【００１１】
上記請求項３の発明によれば、蒸着目止め層は、メラミン樹脂、アルキッド樹脂、ポリフェノール樹脂、アクリル樹脂のいずれか、もしくはこれら樹脂の２種以上の混合でなる樹脂で形成されているので、蒸着原紙の凹凸を無くし、かつその上に設ける金属蒸着薄膜が蒸着原紙の繊維に入り込んで輝度（金属光沢感）が損なわれないようにする偽造防止策が施された蒸着紙とすることができる。
【００１２】
また、請求項４の発明では、上記パターン部は、複雑な地紋や細紋文様もしくはマイクロ文字の集合でなることを特徴とする請求項１、２または３記載の偽造防止策が施された蒸着紙としたものである。
【００１３】
上記請求項４の発明によれば、偽造防止のためのパターン部は、複雑な地紋や細紋文様もしくはマイクロ文字の集合で構成されているので、偽造がより困難な偽造防止策が施された蒸着紙とすることができる。
【００１４】
また、請求項５の発明では、上記パターン部の厚みと背景部の厚みが異なる蒸着目止め層を有する偽造防止策が施された蒸着紙の製造方法であって、前記パターン部と背景部とを含む全面を全面ベタの網ポジフィルム原版で製版し、さらにその上から前記パターン部もしくは背景部のいずれかでなるベタの網ポジフィルム原版で製版してパターン部と背景部の深度が異なるダイレクトグラビア版を作成し、該ダイレクトグラビア版により前記パターン部の厚みと背景部の厚みが異なる蒸着目止め層を形成せしめることを特徴とする偽造防止策が施された蒸着紙の製造方法としたものである。
【００１５】
上記請求項５の発明によれば、上記パターン部の厚みと背景部の厚みが異なる蒸着目止め層の形成を、パターン部と背景部とを含む全面を全面ベタの網ポジフィルム原版で製版し、さらにその上から前記パターン部もしくは背景部のいずれかでなるベタの網ポジフィルム原版で製版してパターン部と背景部の深度が異なるダイレクトグラビア版を作成し、該ダイレクトグラビア版で塗布することによって成されるので、蒸着のための目止め層の形成で偽造防止のためのパターン部の形成もでき、よって製造コストが嵩まず、かつ安定した偽造防止策が施された蒸着紙の製造方法とすることができる。
【００１６】
また、請求項６の発明では、上記金属蒸着薄膜層は、アルミニウムの蒸着でなることを特徴とする請求項５記載の偽造防止策が施された蒸着紙の製造方法としたものである。
【００１７】
上記請求項６の発明によれば、上記金属蒸着薄膜層を、比較的安価で一般的なアルミニウムの蒸着とすることによって、金属光沢を有し、かつ材料を含め製造コストが嵩まない偽造防止策が施された蒸着紙の製造方法とすることできる。
【００１８】
また、請求項７の発明では、上記蒸着目止め層は、メラミン樹脂、アルキッド樹脂、ポリフェノール樹脂、アクリル樹脂のいずれか、もしくはこれら樹脂の２種以上の混合でなることを特徴とする請求項５または６記載の偽造防止策が施された蒸着紙の製造方法としたものである。
【００１９】
上記請求項７の発明によれば、蒸着目止め層を、メラミン樹脂、アルキッド樹脂、ポリフェノール樹脂、アクリル樹脂のいずれか、もしくはこれら樹脂の２種以上の混合でなる樹脂とすることによって、蒸着原紙の凹凸を無くし、かつその上に設ける金属蒸着薄膜が蒸着原紙の繊維に入り込んで輝度（金属光沢感）が損なわれないようにする偽造防止策が施された蒸着紙の製造方法とすることができる。
【００２０】
さらにまた、請求項８の発明では、上記パターン部は、複雑な地紋や細紋文様もしくはマイクロ文字の集合でなることを特徴とする請求項５、６または７記載の偽造防止策が施された蒸着紙の製造方法としたものである。
【００２１】
上記請求項８の発明によれば、パターン部を、複雑な地紋や細紋文様もしくはマイクロ文字の集合でなるものとすることによって、偽造がより困難な偽造防止策が施された蒸着紙の製造方法とすることができる。
【００２２】
上記請求項５でいうダイレクトグラビア版とは、原版には網ポジフィルムが用いられ、階調の再現方式は、セルの深度を一定にして網点の面積の大小で階調を表す方式で、一般的には、ネガ型の感光液を版胴に塗布し、その版胴に網ポジフィルムを密着させながら直接焼き付け、その後網ポジフィルムを剥がした後腐食によって得られる印刷版である。
また、上記請求項５でいう「ベタ」とは、印刷面に濃淡の差や白く抜けた部分がなく、印刷インキで完全に覆われている部分をいい、上記では印刷に使用されるポジフィルム原版の黒い部分をいう。
【００２３】
【発明の実施の形態】
以下本発明の実施の形態を図面を用いて詳細に説明する。
【００２４】
本発明は、蒸着ラベル等に使用される偽造防止策が施された蒸着紙に関するものであり、さらに具体的には、例えば図１の上面図およびそのＢ−Ｂ断面図である図２に示すように、その蒸着ラベル（２）の事例として、蒸着原紙（１０）の片面に蒸着目止め層（１２）とアルミニウム蒸着による金属蒸着薄膜層（１４）が形成され、この蒸着目止め層（１２）が偽造防止のための「Ｔ」「Ｏ」でなるパターン部（１２ａ）とその背景部（１２ｂ）とで構成され、このアルミニウムでなる金属蒸着薄膜層（１４）を保護するオーバーコート層（１６）が施されている偽造防止策が施された蒸着紙（１）を用いて、このオーバーコート層（１６）上に印刷層（１８）を形成し、この印刷層（１８）を保護する保護層（１９）を形成して得られる蒸着ラベル（２）がある。
【００２５】
そこで上記請求項１に係る発明は、図２の側断面図に示すように、例えば蒸着原紙（１０）の片面に蒸着目止め層（１２）を介して金属蒸着薄膜層（１４）が形成され、この金属蒸着薄膜層（１４）上にこれを保護するオーバーコート層（１６）が施されていて、この蒸着目止め層（１２）が偽造防止のためのパターン部（１２ａ）とその背景部（１２ｂ）とで構成されている偽造防止策が施された蒸着紙（１）であって、この蒸着目止め層（１２）を構成しているパターン部（１２ａ）の厚みと背景部（１２ｂ）の厚みが異なっていることを特徴としているものである。
【００２６】
このように、通常の蒸着紙で次工程の金属蒸着薄膜層（１４）の形成の為に用いられる蒸着目止め層（１２）に、偽造防止のためのパターン部（１２ａ）を形成するもので、即ち蒸着目止め層（１２）の形成で偽造防止策も兼ねることができるので、従来に比し特に製造コストが嵩むことがなく、かつ偽造防止策が施された蒸着紙（１）とすることができる。
【００２７】
上記のような構成の偽造防止策が施された蒸着紙（１）を用いた蒸着ラベル（２）では、例えば図２に示すように、蒸着目止め層（１２）に偽造防止のためのパターン部（１２ａ）の厚み（Ｄ１）がその背景部（１２ｂ）の厚み（Ｄ２）より厚くなっているので、表面真上から見ても特にそのパターン部（１２ａ）の存在は視認しにくいが、表面の斜め上から見ると金属光沢を有する金属蒸着薄膜層（１４）に偽造防止のためのパターン部（１２ａ）が浮かび上がって見えるようになっていて、このパターン部（１２ａ）の有無によって真偽判定を可能にするものである。
【００２８】
上記パターン部（１２ａ）の厚み（Ｄ１）がその背景部（１２ｂ）の厚み（Ｄ２）が逆になっていてもよく、それらの厚みに差（Ｄ１−Ｄ２）があればよい。その厚みの差（Ｄ１−Ｄ２）は、２μｍ（ドライ）程度で、背景部（１２ｂ）の厚み（Ｄ２）で薄い方で３．５μｍ、厚い方で５．５μｍ程度が好ましく、薄い方で３．５μｍに満たないと蒸着原紙（１０）の凹凸を埋めきらず、かつ金属蒸着薄膜層（１４）が蒸着原紙（１０）の繊維中に入り込んでしまい、本来の目的である表面の金属光沢感が損なわれる危惧があり、また厚い方で５．５μｍを越えると、塗布で得ることが困難になり、かつ材料の無駄にもなるので好ましくない。
【００２９】
また、図２に示す金属蒸着薄膜層（１４）として、上記請求項２に係る発明では、金属の蒸着で、特にコスト上からも有利なアルミニウムの蒸着でなるものとし、一般的には、例えば巻取り式真空蒸着機を用い、ロール状の基材に、１４００℃前後に加熱された蒸発源中のアルミニウムを真空度１０（−２乗）Ｐａ程度に保持されたドラム中で、３００〜１０００Åの膜厚で得られるものである。
【００３０】
上記アルミニウム蒸着薄膜は、蒸着原紙（１０）の片面に蒸着目止め層（１２）を介して設けられているので、膜面が平滑でピンホール等もなく、かつ金属光沢のある金属蒸着薄膜層（１４）とするもので、この金属蒸着薄膜層（１４）を表面とするとデザイン効果も付与された蒸着紙とすることができる。
【００３１】
また、図２に示す蒸着目止め層（１２）として、上記請求項３に係る発明では、メラミン樹脂、アルキッド樹脂、ポリフェノール樹脂、アクリル樹脂のいずれか、もしくはこれら樹脂の２種以上の混合でなるものとするもので、これら樹脂は、熱硬化性樹脂でなり、キシレン、トルエンを主成分とした溶剤に溶解している塗布液とし、この塗布液を用いて蒸着原紙（１０）の表面の凹凸、ピンホール等の目止めを行い、この上に施す金属蒸着薄膜層（１４）の蒸着原紙（１０）への浸透を防止するもので、この塗布には、グラビア方式あるいはロールコート方式等でもよいが、上記のように、厚みが異なるパターン部（１２ａ）と背景部（１２ｂ）でなる蒸着目止め層（１２）とするには、グラビア方式が好適に用いられる。
【００３２】
また、上記請求項４に係る発明は、図２に示す蒸着目止め層（１２）を構成するパターン部（１２ａ）を、例えば図３に示すように、複雑な細紋で形成することもでき、この他図示しないが、地紋あるいはマイクロ文字の集合でパターン部を形成することもでき、これら複雑なパターンとすることによって、より偽造をより困難なものとすることができる。
【００３３】
さらにまた、上記請求項５に係る発明は、図２に示すように、特にパターン部（１２ａ）の厚み（Ｄ１）と背景部（１２ｂ）の厚み（Ｄ２）が異なる蒸着目止め層（１２）を形成するための偽造防止策が施された蒸着紙（１）の製造方法である。
【００３４】
上記蒸着目止め層（１２）の形成は、まず図１に示すパターン部（１２ａ）とその周囲の背景部（１２ｂ）とを含む全面に該当する、全面ベタの網ポジフィルム（網点の線数に応じた白線でなる）原版（図示せず）を、ネガ型の感光液が塗布されたグラビア用シリンダーに巻き付けて密着させ、その原版上へ露光し、その後この全面ベタの網ポジフィルムを取り去り、現像液で現像した後、腐食液で腐食して全面ベタのダイレクトグラビア版を得る。
【００３５】
続いて、上記で得られた全面ベタのダイレクトグラビア版上全面に、再度ネガ型の感光液を塗布し、その表面に、図４に示すように、パターン部（１２ａ）と背景部（１２ｂ）とでなり、そのパターン部（１２ａ）がベタの網ポジフィルム原版（２０）を巻き付けて密着させ、その原版（２０）上へ露光し、この原版（２０）を取り去った後、現像液で現像し、腐食液で腐食すると、例えば図５の側断面図に示すように、グラビアシリンダー（２２）の表面に、パターン部（１２ａ）を形成する深さ（Ｆ１）が背景部（１２ｂ）を形成する深さ（Ｆ２）より深いダイレクトグラビア版（３０）を得ることができる。
【００３６】
上記で得られたダイレクトグラビア版（３０）を用いて、図２に示すようなパターン部（１２ａ）の厚み（Ｄ１）と背景部（１２ｂ）の厚み（Ｄ２）が異なる蒸着目止め層（１２）を形成せしめ偽造防止策が施された蒸着紙（１）の製造方法である。
【００３７】
上記パターン部（１２ａ）を形成する深さ（Ｆ１）として、例えば図５に示すような場合で５０μｍ程度が好ましく、その時の背景部（１２ｂ）を形成する深さ（Ｆ２）が３０μｍ程度、即ち両者の深さの差（Ｆ１−Ｆ２）を２０μｍ程度とすると、このダイレクトグラビア版（３０）で得られる蒸着目止め層（１２）を構成するパターン部（１２ａ）と背景部（１２ｂ）の厚みが５．５μｍと３．５μｍ程度のものが得られることになる。
【００３８】
以上のように、２度の腐食による製版法で製版されたダイレクトグラビア版（３０）を用いて蒸着目止め層（１２）を形成せしめることによって、蒸着のための目止め層の形成とともに偽造防止のためのパターン部の形成も兼ねることができ、よって金属光沢を有し、かつ材料を含め製造コストが嵩まず、安定した偽造防止策が施された蒸着紙の製造方法とすることができる。
【００３９】
上記本発明の偽造防止策が施された蒸着紙（１）を構成する蒸着原紙（１０）としては、特に限定するものではないが、製造効率などからは、ウエブ状の用紙が好ましく、例えば坪量５０〜２００ｇ／ｍ２  程度のコート紙、軽量コート紙あるいは上質紙や模造紙が挙げられ、特にアルミニウムの蒸着薄膜の品質等を考慮すると、そのうちでも模造紙やコーモラント紙が好ましく、具体的には坪量６０ｇ／ｍ２  のＶＭＴＳ（富士加工紙社製）がより好適なものとして使用される。
【００４０】
また、アルミニウムの金属薄膜層（１４）を保護するオーバーコート層（１６）としては、アクリル樹脂、ポリエステル樹脂をトルエン、酢酸ブチル等の溶剤に溶解して塗布液とし、あるいは水性（水溶性またはエマルジョン）の塗布液とし、グラビア方式あるいはロールコート方式等で得ることができる。
【００４１】
【発明の効果】
本発明は以上の構成であるから、下記に示す如き効果がある。
即ち、上記請求項１に係る発明において、少なくとも蒸着原紙の片面に蒸着目止め層を介して金属蒸着薄膜層が形成され、該蒸着目止め層が偽造防止のためのパターン部とその背景部とで構成されている偽造防止策が施された蒸着紙において、前記パターン部の厚みと背景部の厚みが異なるものとすることによって、表面真上から見てもパターン部は視認され難いが、表面斜め上から見ると金属光沢を有する金属蒸着薄膜層に偽造防止のためのパターン部が浮かび上がって見える偽造防止策が施された蒸着紙とすることができ、このパターン部の有無によって真偽判定を可能にする蒸着紙を提供できる効果がある。
【００４２】
また、上記請求項２に係る発明において、上記金属蒸着薄膜層は、比較的安価で一般的なアルミニウムの蒸着で形成されているので、金属光沢を有し、かつ材料を含め製造コストが嵩まない偽造防止策が施された蒸着紙とすることできる効果がある。
【００４３】
また、上記請求項３に係る発明においては、蒸着目止め層は、メラミン樹脂、アルキッド樹脂、ポリフェノール樹脂、アクリル樹脂のいずれか、もしくはこれら樹脂の２種以上の混合でなる樹脂で構成されているので、蒸着原紙の凹凸を無くし、かつその上に設ける金属蒸着薄膜が蒸着原紙の繊維に入り込んで輝度（金属光沢感）が損なわれないようにする偽造防止策が施された蒸着紙とすることができる。
【００４４】
さらにまた、上記請求項４に係る発明においては、偽造防止のためのパターン部は、複雑な地紋や細紋文様もしくはマイクロ文字の集合で構成されているので、偽造がより困難な偽造防止策が施された蒸着紙とすることができる効果がある。
【００４５】
また、上記請求項５に係る発明においては、上記パターン部の厚みと背景部の厚みが異なる蒸着目止め層の形成を、パターン部と背景部とを含む全面を全面ベタの網ポジフィルム原版で製版し、さらにその上から前記パターン部もしくは背景部のいずれかでなるベタの網ポジフィルム原版で製版してパターン部と背景部の深度が異なるダイレクトグラビア版を作成し、該ダイレクトグラビア版で塗布することによって成されるので、蒸着のための目止め層の形成で偽造防止のためのパターン部の形成もでき、よって金属光沢を有し、製造コストが嵩まず、かつ安定した偽造防止策が施された蒸着紙の製造方法とすることができる。
【００４６】
また、上記請求項６の発明においては、上記金属蒸着薄膜層を、比較的安価で一般的なアルミニウムの蒸着とすることによって、金属光沢を有し、かつ材料を含め製造コストが嵩まない偽造防止策が施された蒸着紙の製造方法とする効果がある。
【００４７】
また、上記請求項７の発明においては、蒸着目止め層を、メラミン樹脂、アルキッド樹脂、ポリフェノール樹脂、アクリル樹脂のいずれか、もしくはこれら樹脂の２種以上の混合でなる樹脂とすることによって、蒸着原紙の凹凸を無くし、かつその上に設ける金属蒸着薄膜が蒸着原紙の繊維に入り込んで輝度（金属光沢感）が損なわれないようにする偽造防止策が施された蒸着紙の製造方法とすることができる。
【００４８】
さらにまた、上記請求項８の発明においては、上記パターン部を、複雑な地紋や細紋文様もしくはマイクロ文字の集合でなるものとすることによって、偽造がより困難な偽造防止策が施された蒸着紙の製造方法とすることができる効果がある。
【００４９】
従って本発明は、蒸着ラベル等に使用される蒸着紙で、特に、蒸着原紙の片面に蒸着目止め層と金属蒸着薄膜層が形成され、この蒸着目止め層に偽造防止策が施された蒸着紙とその製造方法として、優れた実用上の効果を発揮する。
【図面の簡単な説明】
【図１】本発明の偽造防止策が施された蒸着紙の一実施の形態を上面で表した説明図である。
【図２】本発明の偽造防止策が施された蒸着紙の一実施の形態で、図１のＢ−Ｂ断面を表した説明図である。
【図３】本発明の偽造防止策が施された蒸着紙を構成する蒸着目止め層のパターン部の一事例の説明図である。
【図４】本発明の偽造防止策が施された蒸着紙の製造方法の一工程の事例を説明する上面図である。
【図５】本発明の偽造防止策が施された蒸着紙の製造方法の他の一工程の事例を説明する側断面図である。
【符号の説明】
１‥‥偽造防止策が施された蒸着紙
２‥‥蒸着ラベル
１０‥‥蒸着原紙
１２‥‥目止め層
１２ａ‥‥パターン部
１２ｂ‥‥背景部
１４‥‥金属蒸着薄膜層
１６‥‥オーバーコート層
１８‥‥印刷層
１９‥‥印刷保護層
２０‥‥網ポジフィルム原版
２２‥‥グラビアシリンダー
３０‥‥ダイレクトグラビア版
Ｄ１‥‥パターン部の厚み
Ｄ２‥‥背景部の厚み
Ｆ１‥‥パターン部を形成する深さ
Ｆ２‥‥背景部を形成する深さ
【図１】
2004240007.tif 000003
【図２】
2004240007.tif 000004
【図３】
2004240007.tif 000005
【図４】
2004240007.tif 000006
【図５】
2004240007.tif 000007